(57)【特許請求の範囲】
【請求項１】
複数本のピストンが出没する１基のシリンダブロックを備え、該シリンダブロックの端面に２つの吐出を得るための２つの吐出口を設けたコントロールプレートが摺接され、該ピストンのストロークを制御して該吐出口からの吐出量を制御する吐出量制御装置を、各吐出口から仕事をせずにタンクへ夫々の放出回路から放出される流体の圧力が作用した制御用ピストンにより作動制御する装置に於いて、各放出回路の流体の圧力のうちの低い方の圧力を選択する低圧選択弁を設け、該低圧選択弁で選択された低圧を該制御用ピストンに作用させたことを特徴とする可変容量ポンプの吐出量制御装置。
【請求項２】
上記低圧選択弁に、上記各放出回路のうちの低圧側を上記制御用ピストンへ導く切換選択位置と、両放出回路が同圧のとき両放出回路を該制御用ピストンに連通させる中立位置を具備させ、各放出回路から該低圧選択弁へ圧力を導く各パイロットラインにオリフィスを設けたことを特徴とする請求項１に記載の可変容量ポンプの吐出量制御装置。
【発明の詳細な説明】
【０００１】
【発明の属する技術分野】
本発明は、１基の傾転自在のシリンダブロックにより２系統の吐出を得る型式の可変容量ポンプの吐出量制御装置に関する。
【０００２】
【従来の技術】
従来、図１に示すように２台の可変容量ポンプａ、ａを１台の原動機で駆動して２系統の吐出を得ることが行われており、各可変容量ポンプａの吐出量が使用されていないとき、その使用されていない系統の可変容量ポンプａの吐出量を最小に制御して動力損失を防止するため、シリンダブロックなどの吐出量制御装置を作動させる一方の可変容量ポンプａの制御用ピストンｂに他系統のタンクへの放出回路ｃの圧力を作用させ、一方の可変容量ポンプａの吐出量が多くなるように吐出量制御装置を作動させている。こうした制御は、一般に「ネガティブコントロール」と称されている。
【０００３】
また、１基の傾転自在のシリンダブロックの端面が回転摺接するバルブプレートに２つの吐出口を設け、各吐出口から夫々の吐出回路へ吐出量を供給する、スプリットフロータイプともいわれる型式の可変容量ポンプが知られている。その構成の一例は図１及び図２に示す如くであり、ポンプハウジングｄ内で駆動軸ｅにより回転される円筒状のシリンダブロックｆに、複数本のピストンｇを出没自在に設け、該シリンダブロックｆの端面の半径の異なる円弧上に開口ｈ、ｉを形成し、該端面に摺接するコントロールプレートｊに図２に示すような幅広い吸入口ｋと開口ｈ、ｉに対向した吐出口ｌ、ｍが形成される。
【０００４】
該ポンプの吐出量は、斜板ｎを制御用ピストンｏにより傾転させてピストンｇのストロークを調整することにより制御され、該シリンダブロックｆが回転されると、各吐出口ｌ、ｍから２系統の吐出が行われる。
【０００５】
【発明が解決しようとする課題】
このスプリットフロータイプの可変容量ポンプは、小型に構成できるのでミニショベルなどの動力源として好都合であるが、シリンダブロックは１基であるので、２系統の吐出量のうちの１系統が使用されていないときにネガティブコントロールは行えない。
【０００６】
本発明は、１基のシリンダブロックから２系統の吐出を得るスプリットフロータイプの可変容量ポンプをネガティブコントロールする装置を提供することを目的とするものである。
【０００７】
【課題を解決するための手段】
本発明では、複数本のピストンが出没する１基のシリンダブロックを備え、該シリンダブロックの端面に２つの吐出を得るための２つの吐出口を設けたコントロールプレートが摺接され、該ピストンのストロークを制御して該吐出口からの吐出量を制御する吐出量制御装置を、各吐出口から仕事をせずにタンクへ夫々の放出回路から放出される流体の圧力が作用した制御用ピストンにより作動制御する装置に於いて、各放出回路の流体の圧力のうちの低い方の圧力を選択する低圧選択弁を設け、該低圧選択弁で選択された低圧を該制御用ピストンに作用させることにより、上記の目的を達成するようにした。該低圧選択弁に、該各放出回路のうちの低圧側を制御用ピストンへ導く切換選択位置と、両放出回路が同圧のとき両放出回路を該制御用ピストンに連通させる中立位置を具備させ、各放出回路から該低圧選択弁へ圧力を導く各パイロットラインにオリフィスを設けることにより、各パイロットラインを相互に流体がながれにくくなるようにした。
【０００８】
【発明の実施の形態】
図面に基づき本発明の実施の形態を説明すると、図４に於いて、符号１は可変容量ポンプ、２は可変容量ポンプ１のポンプケース３内に回転自在に設けたシリンダブロックを示し、該シリンダブロック２には複数本のピストン４が出没自在に設けられる。該ピストン４の頭部は斜板からなる吐出量制御装置５に当接して回転し、その回転は図示してない原動機に連結した回転軸６により与えられる。
【０００９】
該シリンダブロック２の端面には、図６に示したような、半径の異なる円弧上に開口７、８を形成し、該端面に摺接するコントロールプレート９に図５に示したような幅広の吸入口１０と開口７、８と対向した２つの吐出口１１、１２を設けてスプリットフロータイプに構成した。該回転軸６によりシリンダブロック２が回転されると、各吐出口１１、１２から２系統の吐出が得られ、その吐出量は吐出量制御装置５の傾転作動を制御する制御用ピストン１３に作用する流体圧により制御される。各吐出口１１、１２は、切換弁１４、１５を介してアクチュエータ１６、１７と放出回路１８、１９とに切換接続され、各放出回路１８、１９には、絞り２０とリリーフ弁２１とが夫々設けられる。
【００１０】
こうした構成は従来のものと余り変わりがないが、各放出回路１８、１９の絞り２０の前方から該制御用ピストン１３の受圧室２３へ圧力を導くパイロットライン２４、２５に低圧選択弁２２を介在させ、両放出回路１８、１９のいずれかに吐出口からの流量が放出されたとき、即ち、いずれかのアクチュエータへの流量供給が行われなくなったとき、該制御用ピストン１３に低圧を作用させるようにした。該低圧選択弁２２は、両放出回路１８、１９のいずれかに吐出口からの流体が放出されたときに発生するバネ２６に抗した抵抗圧の作用で作動して切換選択位置２２ａへ動き、両放出回路１８、１９の圧力のうちの低い方を該受圧室２３へと導き、これにより制御用ピストン１３が該吐出量制御装置５の斜板を吐出量を多くするように傾転作動し、該可変容量ポンプ１の吐出量は多くなる。
【００１１】
該低圧選択弁２２の詳細は、図７及び図８のように、両端にバネ２６、２６が作用した切換スプール２７を有し、一方のパイロットラインの圧力がバネ２６のばね力よりも高まったとき、該スプール２７は他方のパイロットラインの低圧を該受圧室２３へ導き、両パイロットラインの圧力が同圧であるときは、該スプール２７は中立位置２２ｂに位置して両パイロットライン２４、２５の圧力を該受圧室２３へ導く。そのため、該受圧室２３の圧力が高ければ、該吐出量制御装置５は吐出量を減らすように作動し、該ポンプ１は少ない吐出量を吐出し、動力の無駄使いが防止される。該パイロットライン２４、２５には、オリフィス２８を夫々設けて両パイロットライン２４、２５間に流体が流通しにくくなるようにし、制御の確実性を得るようにした。
【００１２】
図４の構成において、可変容量ポンプ１を作動させて各吐出口１１、１２から得られる同量のの吐出量を各アクチュエータ１６、１７へ供給するように切換弁１４、１５を操作すると、放出回路１８、１９には流量が流れないためパイロットライン２４、２５は低圧且つ同圧になり、低圧選択弁２２は中立位置に位置するために制御用ピストン１３には低圧が作用し、そのため吐出量制御装置５は多量の吐出量を吐出するように制御作動を行う。また、切換弁を操作して一方のアクチュエータへの供給を断つと、一方の吐出口の流量は放出回路に流れるためパイロットラインに圧力が発生し、もう一方のパイロットラインの低圧が制御用ピストンに導かれるため、吐出量制御装置５はやはり多量の吐出量を吐出するように制御作動を行う。そして、両アクチュエータ１６、１７への流量を断つように切換弁１４、１５を操作したときは、両吐出口１１、１２から両放出回路１８、１９へ吐出量が流れ、両パイロットライン２４、２５は絞り２０とリリーフ弁２１で制御された同圧の圧力になるが、この圧力で低圧選択弁２２が中立位置になり制御用ピストン１３には低圧でない圧力が作用するため、吐出量制御装置５は吐出量を最小或いは少なくするように作動し、無駄な吐出を避けて動力損失を防ぐことが出来る。
【００１３】
【発明の効果】
以上のように本発明によれば、１基のシリンダブロックから２系統の吐出が吐出口に得られる可変容量ポンプの吐出量制御装置を作動制御する制御用ピストンに、各吐出口から仕事をせずに放出される流体が流れる放出回路の圧力のうちの低い方の圧力を低圧選択弁で選択して作用させるようにしたので、一方の吐出口の流量をタンクへ放出しても該制御用ピストンに吐出量制御装置が最大或いは多量の吐出を行うように作動させることができ、低圧選択弁の中立位置では両放出回路を該制御用ピストンに連通し、各放出回路から該低圧選択弁へ圧力を導く各パイロットラインにオリフィスを設けたことにより、無駄な吐出を控えて動力の有効利用を行える等の効果がある。
【図面の簡単な説明】
【図１】従来のネガティブコントロールの基本回路図
【図２】１基のシリンダブロックで２系統の吐出を得る型式の可変容量ポンプの截断側面図
【図３】図２の３−３線部分の側面図
【図４】本発明の実施の形態を示す説明図
【図５】図４の５−５線部分の側面図
【図６】図４の６−６線部分の側面図
【図７】低圧選択弁の截断側面図
【図８】図７の８−８線部分の断面図
【符号の説明】
１  可変容量ポンプ、２  シリンダブロック、４  ピストン、５  吐出量制御装置、７・８  開口、９  コントロールプレート、１１・１２  吐出口、１３  制御用ピストン、１８・１９  放出回路、２２  低圧選択弁、２２ａ  切換選択位置、２２ｂ  中立位置、２４・２５  パイロットライン、２８  オリフィス、
【図１】
0003787063.tif 000002
【図２】
0003787063.tif 000003
【図３】
0003787063.tif 000004
【図４】
0003787063.tif 000005
【図５】
0003787063.tif 000006
【図６】
0003787063.tif 000007
【図７】
0003787063.tif 000008
【図８】
0003787063.tif 000009